(57)【特許請求の範囲】
【請求項１】
乗客が乗降する乗降口を有する乗りかごと、
前記乗降口を開閉する扉と、
前記乗りかご内に配置され、階毎の複数のメールボックスを有するメール集配棚と、を備え、
停止階で前記扉が開放された状態にて、乗場から見て前記メール集配棚が露出可能なように、前記メール集配棚が前記乗りかご内に配置され、
各メールボックスの集配用開口が、前記状態にて前記乗りかごに人が乗車せずとも、前記乗場から前記乗降口を介して前記人の手が届く位置に配置される、
エレベータ。
【請求項２】
前記メール集配棚が、前記乗降口における左右方向の側部に配置される、
請求項１に記載のエレベータ。
【請求項３】
前記メール集配棚が、前記乗降口における左右方向の中央に配置される、
請求項１に記載のエレベータ。
【請求項４】
前記集配用開口が前記乗場に面するように設けられる、
請求項１から３のいずれか１つに記載のエレベータ。
【請求項５】
前記扉の開閉を制御する制御装置を備え、
前記制御装置は、
前記メール集配棚を利用するためのメール呼びが発生した場合、前記メール呼びの発生階に前記乗りかごが到着した際、前記乗場から見て前記集配用開口が露出するように、前記扉を開かせ、
前記メール呼び以外の通常呼びが発生した場合、前記通常呼びの発生階に前記乗りかごが到着した際、前記乗場から見て前記集配用開口が露出しないように、前記扉を開かせる、
請求項４に記載のエレベータ。
【請求項６】
前記扉の開閉を制御する制御装置を備え、
前記制御装置は、
前記メール集配棚を利用するためのメール呼びが発生した場合、前記メール呼びの発生階に前記乗りかごが到着した際、前記乗場から見て前記集配用開口が露出するように、前記扉を全開時より少ない開き量で開かせ、
前記メール呼び以外の通常呼びが発生した場合、前記通常呼びの発生階に前記乗りかごが到着した際、前記扉を全開させる、
請求項４に記載のエレベータ。
【請求項７】
各メールボックスに、その集配用開口を開閉する蓋が設けられ、
前記蓋が、内開きの蓋である、
請求項１から６のいずれか１項に記載のエレベータ。
【発明の詳細な説明】
【技術分野】
【０００１】
本発明は、エレベータに関する。
【背景技術】
【０００２】
特許文献１は、乗りかご内に宅配ボックスを設けたエレベータを開示している。
【先行技術文献】
【特許文献】
【０００３】
【特許文献１】特開２００７−３０８２６７号公報
【発明の概要】
【発明が解決しようとする課題】
【０００４】
本発明は、ビル内の階間のメール集配作業を効率化可能なエレベータを提供する。
【課題を解決するための手段】
【０００５】
本発明のエレベータは、
乗客が乗降する乗降口を有する乗りかごと、
前記乗りかご内に配置され、階毎の複数のメールボックスを有する集配棚と、を備え、
各メールボックスの集配用開口が、停止階で停止中の前記乗りかごに人が乗車せずとも、乗場から前記乗降口を介して前記人の手が届く位置に配置される。
【発明の効果】
【０００６】
本発明によれば、ビル内の階間のメール集配作業を効率化できる。
【図面の簡単な説明】
【０００７】
【図１】実施の形態１におけるエレベータシステムの構成を示した図
【図２】エレベータ乗場の外観を、扉を閉じた状態で示した図
【図３】乗りかごの内部正面の外観を示した図
【図４Ａ】エレベータ乗場の外観を、扉を開いた状態で示した図
【図４Ｂ】乗りかごの乗降口付近を模式的に示した平面図（水平断面図）
【図５Ａ】メールボックスの構造を示した図
【図５Ｂ】メールボックスの構造を示した図
【図６Ａ】扉の開閉制御を説明した図
【図６Ｂ】メール呼び発生時の扉の開放状態を模式的に示した斜視図
【図６Ｃ】通常呼び発生時の扉の開放状態を模式的に示した斜視図
【図７】エレベータシステムのハードウェア構成の一例を示したブロック図
【図８】携帯端末のハードウェア構成の一例を示したブロック図
【図９】携帯端末の表示部における表示の具体的一例を示した図
【図１０】携帯端末の表示部における表示の具体的一例を示した図
【図１１】携帯端末の表示部における表示の具体的一例を示した図
【図１２】携帯端末の表示部における表示の具体的一例を示した図
【図１３】携帯端末の表示部における表示の具体的一例を示した図
【図１４】携帯端末の表示部における表示の具体的一例を示した図
【図１５】エレベータ制御装置の呼び応答動作の一例を示したフローチャート
【図１６】エレベータ制御装置のかご運行動作及び通知動作の一例を示したフローチャート
【図１７】エレベータ制御装置の通知動作の一例を示したフローチャート
【図１８】実施の形態１の変形例１を説明した図
【図１９】実施の形態１の変形例２を説明した図
【図２０】実施の形態１の変形例３を説明した図
【図２１】実施の形態１の変形例４を説明した図
【図２２】実施の形態２におけるエレベータシステムの構成を示した図
【図２３】群管理制御装置のハードウェア構成の一例を示したブロック図
【図２４】特定エレベータ制御装置のハードウェア構成の一例を示したブロック図
【図２５】通常エレベータ制御装置のハードウェア構成の一例を示したブロック図
【図２６】群管理制御装置の呼び割当動作の一例を示したフローチャート
【図２７】特定エレベータ制御装置の呼び応答動作の一例を示したフローチャート
【図２８】特定エレベータ制御装置のかご運行動作及び通知動作の一例を示したフローチャート
【図２９】通常エレベータ制御装置の呼び応答動作の一例を示したフローチャート
【図３０】通常エレベータ制御装置のかご運行動作の一例を示したフローチャート
【図３１】他の実施の形態におけるエレベータの扉の開閉制御を説明した図
【図３２】他の実施の形態におけるエレベータの扉の開閉制御を説明した図
【発明を実施するための形態】
【０００８】
本発明の実施の形態に係るエレベータシステムについて図面を参照して説明する。
【０００９】
（実施の形態１）
１．構成
図１は、実施の形態１におけるエレベータシステムの構成を示した図である。
【００１０】
実施の形態１におけるエレベータシステムは、ビル内に配置される１台のエレベータ１Ｓを有する。エレベータ１Ｓは、乗りかご２０Ｓと、乗りかご２０Ｓを昇降させる昇降機構３９と、釣合おもり３８と、昇降機構３９等の動作を制御するエレベータ制御装置１０Ｓとを有している。エレベータ制御装置１０Ｓは、例えば、昇降機構３９が配置される機械室に配置される。エレベータ制御装置１０Ｓには、機械室に配置された各種機器や、各階のエレベータ乗場に配置された各種機器や、乗りかご２０Ｓに配置された各種機器などとの間で信号や電力を授受するのに用いられる配線が接続されている。エレベータ制御装置１０Ｓは、本発明における制御装置の一例であり、制御装置１０００ともいう。図１では、本発明のエレベータシステムを２０階建てのビルに適用した例を示しているが、これは一例であり、他の階床数のビルにも適用できる。
【００１１】
図２は、エレベータ乗場の外観を、扉５０Ｌ、５０Ｒを閉じた状態で示した図である。
【００１２】
各階のエレベータ乗場の壁１００には、乗客が乗降する乗降口２０ａと、乗降口２０ａを開閉する乗場扉１０１Ｌ、１０１Ｒが設けられている。乗場扉１０１Ｌ、１０１Ｒは、エレベータ１Ｓ用の扉５０Ｌ、５０Ｒのうち乗場に配置される扉である。また、各階のエレベータ乗場の壁１００には、通常呼び操作盤１１０、表示盤１２０、メール呼び操作盤１３０が設けられている。なお、以下では適宜、「エレベータ乗場」を単に「乗場」という。
【００１３】
通常呼び操作盤１１０には、上方向の呼びの登録操作を受け付ける上方向呼びボタン１１１及び下方向の呼びの登録操作を受け付ける下方向呼びボタン１１２が設けられている。通常呼び操作盤１１０は、上方向呼びボタン１１１または下方向呼びボタン１１２のうち操作されたボタンに対応する信号をエレベータ制御装置１０Ｓに出力する。
【００１４】
表示盤１２０には、かご位置表示部１２１及び報知情報表示部１２２が設けられている。
【００１５】
かご位置表示部１２１は、エレベータ制御装置１０Ｓから出力される信号に基づいて、乗りかご２０Ｓが現在位置する階床を示す数字と、乗りかご２０Ｓの進行方向を示す矢印を表示する。かご位置表示部１２１は、例えば液晶表示装置や有機ＥＬ表示装置により構成可能である。
【００１６】
報知情報表示部１２２は、エレベータ制御装置１０Ｓから出力される信号に基づいて、利用案内などの種々の情報を表示する。報知情報表示部１２２は、例えば液晶表示装置や有機ＥＬ表示装置により構成可能である。
【００１７】
メール呼び操作盤１３０には、メール呼び用キースイッチ１３１と、戸閉用キースイッチ１３２が設けられている。メール呼び操作盤１３０は、メール呼び用キースイッチ１３１や戸閉用キースイッチ１３２が操作されたとき、それぞれに対応する信号をエレベータ制御装置１０Ｓに出力する。
【００１８】
図３は、乗りかご２０Ｓの内部正面の外観を示した図である。
【００１９】
乗りかご２０Ｓの内部の正面部には、乗客が乗降する乗降口２０ａと、乗降口２０ａを開閉するかご扉２１Ｌ、２１Ｒとが設けられている。かご扉２１Ｌ、２１Ｒは、エレベータ１Ｓ用の扉５０Ｌ、５０Ｒのうち乗りかご２０Ｓに配置される扉である。なお、かご扉２１Ｌは乗場から見て左側のかご扉であり、かご扉２１Ｒは乗場から見て右側のかご扉である。かご扉２１Ｌ、２１Ｒが停止階で開閉されるとき、停止階の乗場の乗場扉１０１Ｌ、１０１Ｒが機械的に連動して、一体的に開閉する。これを、以下では適宜、扉５０Ｌ、５０Ｒが開閉するという。また、正面部の内面には、かご内操作盤３１と、スピーカ３６と、かご位置表示部３７が設けられている。
【００２０】
かご内操作盤３１には、複数個の階床ボタンや、戸開ボタンや、戸閉ボタン等が設けられている。かご内操作盤３１は、複数個の階床ボタン、戸開ボタン、及び戸閉ボタンのうち操作されたボタンに対応する信号をエレベータ制御装置１０Ｓに出力する。
【００２１】
かご位置表示部３７は、エレベータ制御装置１０Ｓから出力される信号に基づいて、乗りかご２０Ｓが現在位置する階床を示す数字と、乗りかご２０Ｓの進行方向を示す矢印を表示する。かご位置表示部３７は、例えば液晶表示装置や有機ＥＬ表示装置により構成可能である。
【００２２】
スピーカ３６は、エレベータ制御装置１０Ｓから出力される音声信号に基づいて、エレベータ利用に関する案内や注意を音声により報知する。
【００２３】
図４Ａは、エレベータ乗場の外観を、扉５０Ｌ、５０Ｒを全開した状態で示した図である。
【００２４】
図４Ａに示されるように、本実施の形態の乗りかご２０Ｓの内部には、メール集配棚２００が配置されている。メール集配棚２００は、乗降口２０ａにおける左右方向の側部にそれぞれ配置される。メール集配棚２００は、各階用の複数のメールボックス２０１を備える。左右のメール集配棚２００のうち、乗場から見て左側のメール集配棚２００は、１階〜１０階の各階用のメールボックス２０１を備え、右側のメール集配棚２００は、１１階〜２０階の各階用のメールボックス２０１を備える。メール集配棚２００の集配用開口２０１ａは、乗場に面するように配置される。
【００２５】
図４Ｂは、乗りかごの乗降口付近を模式的に示した平面図（水平断面図）である。
【００２６】
図４Ｂ（ａ）に示すように、各メールボックス２０１の集配用開口２０１ａは、閉じられた扉５０Ｌ、５０Ｒに近接するように配置される。より具体的には、図４Ｂ（ｂ）に示すように、各メールボックス２０１の集配用開口２０１ａは、扉５０Ｌ、５０Ｒを全開して停止階で停止中の乗りかご２０Ｓにメール集配担当者が乗車せずとも、乗場から乗降口２０ａを介してメール集配担当者の手が届く位置に配置される。
【００２７】
図５Ａ、図５Ｂは、メール集配棚２００の構造を示した図である。
【００２８】
図５Ａ（ａ）は、メール集配棚２００の正面図である。図５Ａ（ｂ）は、図５Ａ（ａ）のＬ−Ｌ線による断面図である。各メールボックス２０１の集配用開口２０１ａは、乗場に面するように、メール集配棚２００の正面に配置される。各メールボックス２０１には、集配用開口２０１ａを開閉する蓋２０２が設けられている。蓋２０２は、メールボックス２０１の本体にヒンジ（図示せず）を介して取り付けられ、上部側を中心として内開きするように構成されている。
【００２９】
各メールボックス２０１には、メールセンサ２１０が設けられている。メールセンサ２１０は、メールボックス２０１内のメール物品を検知するセンサである。メール物品は、書類、荷物、封書などである。図５Ａでは、投光部２１０ａと受光部２１０ｂとを有する光電センサを利用してメールセンサ２１０を構成した例を示している。メールボックス２０１の本体の上板には投光部２１０ａが設けられ、下板には受光部２１０ｂが設けられている。投光部２１０ａはセンサ光を投光し、受光部２１０ｂは投光部２１０ａから投光されるセンサ光を受光する。受光部２１０ｂはセンサ光の受光状況を示す信号を出力する。図５Ａ（ｂ）のようにメールボックス２０１内にメール物品が存在しない場合には、投光部２１０ａから投光されたセンサ光が受光部２１０ｂで受光され、受光部２１０ｂはセンサ光を受光していることを示す信号を出力する。図５Ｂでは、９階用のメールボックス２０１内にメール物品Ｘが投函されている例を示し、この場合、投光部２１０ａから投光されたセンサ光が受光部２１０ｂで受光されず、受光部２１０ｂはセンサ光を受光していないことを示す信号を出力する。光電センサで構成されるメールセンサ２１０は、メールボックス２０１内のメール物品を検知するセンサの一例である。
【００３０】
図６Ａは、扉５０Ｌ、５０Ｒの開閉制御を説明した図である。図６Ｂは、メール呼び発生時の扉の開放状態を模式的に示した斜視図である。図６Ｃは、通常呼び発生時の扉の開放状態を模式的に示した斜視図である。
【００３１】
本実施の形態のエレベータシステムでは、メール集配棚２００を利用するためのメール呼びと、メール呼び以外の、エレベータを通常利用するための通常呼びとを発生可能に構成されており、メール集配棚２００を利用するためのメール呼びが発生した場合、メール呼びの発生階に乗りかご２０Ｓが到着した際に、図６Ａ（ｂ）、図６Ｂ、図４Ａに示すように、乗場から見て集配用開口２０１ａが露出するように、扉５０Ｌ、５０Ｒを全開状態まで開かせる。これにより、メール集配担当者がメール集配作業を行うことが可能となる。なお、扉５０Ｌ、５０Ｒは無時限で開かれ、戸閉操作がなされたときに、図６Ａ（ａ）に示すように、閉じられる。一方、メール呼び以外の通常呼びが発生した場合、通常呼びの発生階に乗りかご２０Ｓが到着した際に、図６Ａ（ｃ）、図６Ｃに示すように、乗場から見て集配用開口２０１ａが露出しないように、扉５０Ｌ、５０Ｒを所定量だけ開かせる。これにより、乗客は、乗りかご２０Ｓに乗降できるものの、メール集配棚２００の集配用開口２０１ａにはアクセスできない。そして、扉５０Ｌ、５０Ｒを開かせたときから所定開扉時間の経過後に、図６Ａ（ａ）に示すように、扉５０Ｌ、５０Ｒを閉じさせる。所定開扉時間は、乗客の乗降に要する時間に基づいて設定された時間であり、例えば１０秒である。
【００３２】
この構成により、メール呼びを発生させることにより、メール集配担当者は宛先階などに移動することなく、乗りかご２０Ｓ内に配置されたメール集配棚２００を利用してメール物品の集配作業を行うことができる。また、扉５０Ｌ、５０Ｒが無時限で開かれるため、メール物品の集配作業を、時間的に余裕を持って行うことができる。一方、通常呼びの場合には、扉５０Ｌ、５０Ｒを開かせたときから所定開扉時間の経過後に扉５０Ｌ、５０Ｒが自動で閉じられるため、扉５０Ｌ、５０Ｒが開きっ放しになることが防止される。また、通常呼びの場合には、扉５０Ｌ、５０Ｒの開き量が全開でなく所定量だけであるので、乗客はメール集配棚２００の集配用開口２０１ａにアクセスできない。他の効果として、扉５０Ｌ、５０Ｒを全開させる場合と比べ、扉５０Ｌ、５０Ｒを開く際の時間及び閉じる際の時間をそれぞれ少なくできるという効果も得られる。
【００３３】
以下、このような動作及び効果を実現するための構成について詳しく説明する。
【００３４】
図７は、エレベータシステムのハードウェア構成の一例を示したブロック図である。
【００３５】
エレベータ制御装置１０Ｓには、かご内操作盤３１、昇降モータ用インバータ４１、ドアモータ用インバータ４２、スピーカ３６、かご位置表示部３７（かご内）、通常呼び操作盤１１０、かご位置表示部１２１（かご外）、報知情報表示部１２２、メール呼び操作盤１３０、メールセンサ２１０、無線通信装置３００が電気的に接続されている。
【００３６】
エレベータ制御装置１０Ｓは、プロセッサ１１、記憶部１２、入出力インタフェース１３を有する。エレベータ制御装置１０Ｓは、コンピュータなどを利用して構成できる。
【００３７】
プロセッサ１１は、プログラムに基づく演算処理を実行し、エレベータ制御装置１０Ｓにおける後述する各種の機能を実現する。プロセッサ１１は、例えばＣＰＵ、ＭＰＵ、ＡＳＩＣ、ＦＰＧＡ、ＧＰＵを利用して構成される。
【００３８】
記憶部１２は、プログラムや各種のデータを記憶している。プログラムには、プロセッサ１１により実行されることでエレベータ制御装置１０Ｓに後述する各種の機能を実現させるプログラムが含まれる。また、各種のデータには、上記プログラムが参照するデータ等が含まれる。また、各種のデータには、かご位置表示部３７、かご位置表示部１２１、及び報知情報表示部１２２に表示する各種の表示画面のデータや、スピーカ３６から出力される音声のデータなどが含まれる。記憶部１２は、例えばＨＤＤ、ＳＳＤ、ＲＡＭ、ＲＯＭを利用して構成される。
【００３９】
入出力インタフェース１３は、外部機器との間で種々の電気信号を入出力するためのインタフェースである。入出力インタフェース１３は、例えば、ＬＡＮインタフェースや、ＵＳＢ、ＲＳ−２３２Ｃ／４２２／４８５などのシリアル通信用インタフェース、音声信号入出力端子、映像信号入出力端子、アナログ信号用入出力端子、接点信号用入出力端子、専用規格のインタフェース等を備えている。
【００４０】
入出力インタフェース１３には、上述したかご内操作盤３１、昇降モータ用インバータ４１、ドアモータ用インバータ４２、スピーカ３６、かご位置表示部３７（かご内）、通常呼び操作盤１１０、かご位置表示部１２１（かご外）、報知情報表示部１２２、メール呼び操作盤１３０、メールセンサ２１０、無線通信装置３００が接続されている。
【００４１】
昇降モータ用インバータ４１は、エレベータ制御装置１０Ｓから出力される駆動信号に基づいて、昇降モータ３２に駆動用の電力を供給する。昇降モータ３２は、昇降モータ用インバータ４１から供給される電力により駆動され、昇降機構３９を駆動し、乗りかご２０Ｓを昇降させる。
【００４２】
ドアモータ用インバータ４２は、エレベータ制御装置１０Ｓから出力される駆動信号に基づいて、ドアモータ３３に駆動用の電力を供給する。ドアモータ３３は、ドアモータ用インバータ４２から供給される電力により駆動され、ドア開閉機構（図示せず）を駆動し、かご扉２１Ｌ、２１Ｒを開閉させる。かご扉２１Ｌ、２１Ｒが停止階で開閉されるとき、停止階の乗場の乗場扉１０１Ｌ、１０１Ｒが機械的に連動して開閉する。
【００４３】
無線通信装置３００は、携帯端末４００との間で無線通信を行う。
【００４４】
エレベータ制御装置１０Ｓは、かご内操作盤３１、通常呼び操作盤１１０、メール呼び操作盤１３０、メールセンサ２１０、無線通信装置３００等から入力される種々の信号に基づいて、種々の制御を行う。例えば、いずれかの階床の通常呼び操作盤１１０の上方向呼びボタン１１１または下方向呼びボタン１１２が乗客などにより押されると、上方向呼びボタン１１１または下方向呼びボタン１１２の操作があった階（目的階）に乗りかご２０Ｓを移動させて停止させるように、昇降モータ用インバータ４１を介して昇降モータ３２の駆動を制御する。また、乗りかご２０Ｓ内のかご内操作盤３１の階床ボタンが乗客などにより押されると、押された階床ボタンに対応する階床に乗りかご２０Ｓを移動させて停止させるように、昇降モータ用インバータ４１を介して昇降モータ３２の駆動を制御する。また、エレベータ制御装置１０Ｓは、かご内操作盤３１の戸開ボタンや戸閉ボタンが押されたり、呼び応答指令の目的階またはかご内操作盤３１で押された階床に乗りかご２０Ｓが到着したりすると、乗りかご２０Ｓのかご扉２１Ｌ、２１Ｒを開閉させるように、ドアモータ用インバータ４２を介してドアモータ３３の駆動を制御する。また、エレベータ制御装置１０Ｓは、上記種々の信号に基づいて、スピーカ３６に音声信号を出力するとともに、かご位置表示部３７（かご内）、かご位置表示部１２１（かご外）、及び報知情報表示部１２２に表示信号を出力する。また、エレベータ制御装置１０Ｓは、無線通信装置３００を介して、携帯端末４００との間で種々の情報を授受する。
【００４５】
図８は、携帯端末４００のハードウェア構成の一例を示したブロック図である。
【００４６】
携帯端末４００は、コンピュータを利用して構成されており、プロセッサ４０１と、記憶部４０２と、無線通信部４０３と、タッチパネル式表示部４０４とを備える。携帯端末４００は、例えば、コンピュータを利用して構成されるスマートフォン、タブレット端末等である。
【００４７】
プロセッサ４０１は、プログラムや各種のデータに基づく演算処理を実行し、携帯端末４００における後述する各種の機能を実現する。プロセッサ４０１は、例えばＣＰＵ、ＭＰＵ、ＡＳＩＣ、ＦＰＧＡ、ＧＰＵを利用して構成される。
【００４８】
記憶部４０２は、プログラムや各種のデータを記憶している。プログラムには、プロセッサ４０１により実行されることで携帯端末４００に後述する各種の機能を実現させるプログラム（アプリケーションプログラム）が含まれる。また、各種のデータには、上記プログラムが参照するデータ等が含まれる。例えば、各種のデータには、タッチパネル式表示部４０４に表示する各種の表示画面のデータなどが含まれる。記憶部４０２は、例えばＲＡＭ、ＲＯＭを利用して構成される。
【００４９】
無線通信部４０３は、無線通信装置３００との間で無線通信を行う。無線通信部４０３と無線通信装置３００との間の無線通信を介して、携帯端末４００とエレベータ制御装置１０Ｓとの間で、指令やデータを含む各種信号が送受信される。
【００５０】
タッチパネル式表示部４０４は、プロセッサ４０１によって生成された画像信号が示す画像を表示する。また、タッチパネル式表示部４０４は、画面に対するタッチ操作を受け付けて、タッチ位置を示す信号を出力する。タッチパネル式表示部４０４は、例えばタッチ位置検出部が一体形成された液晶ディスプレイまたは有機ＥＬディスプレイや、タッチ位置検出パネルが外面に積層された液晶ディスプレイまたは有機ＥＬディスプレイで構成される。
【００５１】
図９〜図１４は、携帯端末４００のタッチパネル式表示部４０４における表示の具体的一例を示した図である。
【００５２】
携帯端末４００へのアプリケーションプログラムのインストールの完了時、あるいはメール集配担当者によりアプリケーションプログラムを初めて起動する操作が行われた際、プロセッサ４０１は、タッチパネル式表示部４０４に、図９に示すユーザ設定画面を表示させる。
【００５３】
ユーザ設定画面には、メール集配担当者ＩＤ入力枠Ｆａと、担当階入力枠Ｆｂと、決定ボタンＢｄが表示される。メール集配担当者により、メール集配担当者ＩＤ入力枠Ｆａ内にメール集配担当者ＩＤが入力され、担当階入力枠Ｆｂ内にメール集配担当者の担当階が入力され、決定ボタンＢｄがタッチされると、プロセッサ４０１は、入力されたメール集配担当者ＩＤ及び担当階を記憶部４０２に記憶させ、タッチパネル式表示部４０４に、図１０の操作画面を表示させる。
【００５４】
操作画面には、メール呼びボタンＢａと、戸閉ボタンＢｂと、ユーザ設定ボタンＢｃとが表示される。メール呼びボタンＢａに対してタッチ操作がなされると、プロセッサ４０１は、メール呼び要求信号を生成し、無線通信部４０３を用いて、無線送信する。メール呼び要求信号には、メール集配担当者ＩＤ及び担当階の情報と、メール呼び要求指令が含まれる。戸閉ボタンＢｂに対してタッチ操作がなされると、プロセッサ４０１は、戸閉要求信号を生成し、無線通信部４０３を用いて、無線送信する。戸閉要求信号には、メール集配担当者ＩＤ及び担当階の情報と、戸閉要求指令が含まれる。ユーザ設定ボタンＢｃに対してタッチ操作がなされると、プロセッサ４０１は、図９に示すユーザ設定画面を表示させる。例えば、メール集配担当者の異動などにより担当階が変更になった場合、アプリケーションプログラム上で担当階を変更することができる。
【００５５】
アプリケーションプログラムが起動されているとき、プロセッサ４０１は、エレベータ制御装置１０Ｓから送信される種々の信号を受信し、受信した信号に基づいて、タッチパネル式表示部４０４に、図１１〜図１４に示すような種々の通知画面を表示させる。これらの通知画面の内容については後で説明する。
【００５６】
２．動作
エレベータシステムの動作について説明する。
【００５７】
図１５は、エレベータ制御装置１０Ｓによる呼び割当動作の一例を示したフローチャートである。
【００５８】
図１５のフローチャートの処理を開始する前に、エレベータ制御装置１０Ｓは、携帯端末４００から端末ＩＤ及びメール集配担当者ＩＤを取得して、アプリケーションプログラムの利用のための認証を行う。
【００５９】
エレベータ制御装置１０Ｓは、通常呼びが発生したか否かを判断する（Ｓ１１）。具体的に、エレベータ制御装置１０Ｓは、いずれかの階の上方向呼びボタン１１１または下方向呼びボタン１１２が例えば乗客により押されたことを検知した場合、通常呼びが発生したと判断する。
【００６０】
通常呼びが発生した場合（Ｓ１１でＹＥＳ）、エレベータ制御装置１０Ｓは、通常呼びの発生階を通常停止階として設定する（Ｓ１２）。つまり、乗りかご２０Ｓに、通常呼びの発生階を停止予定階として割り当てる。
【００６１】
エレベータ制御装置１０Ｓは、かご内操作盤３１でいずれかの階床ボタンに押下操作があったか否かを判断する（Ｓ１３）。
【００６２】
いずれかの階床ボタンに押下操作があった場合（Ｓ１３でＹＥＳ）、エレベータ制御装置１０Ｓは、階床ボタンで指定された階床を通常停止階に設定する（Ｓ１４）。つまり、乗りかご２０Ｓに、階床ボタンで指定された階床を停止予定階として割り当てる。
【００６３】
いずれの階床ボタンにも押下操作がない場合（Ｓ１３でＮＯ）、エレベータ制御装置１０Ｓは、ステップＳ１１の処理に戻る。
【００６４】
ステップＳ１１において通常呼びが発生していない場合（Ｓ１１でＹＥＳ）、エレベータ制御装置１０Ｓは、メール呼びが発生したか否かを判断する（Ｓ１５）。具体的に、エレベータ制御装置１０Ｓは、メール呼び用キースイッチ１３１が操作されたことを検知した場合、メール呼びが発生したと判断する。または、携帯端末４００からメール呼び要求信号を受信した場合、エレベータ制御装置１０Ｓは、メール呼びが発生したと判断する。
【００６５】
メール呼びが発生した場合（Ｓ１５でＹＥＳ）、エレベータ制御装置１０Ｓは、現時刻がピーク時間帯に含まれるか否かを判断する（Ｓ１６）。
【００６６】
現時刻がピーク時間帯に含まれない場合（Ｓ１６でＮＯ）、エレベータ制御装置１０Ｓは、メール呼びの発生階をメール呼び停止階として設定する（Ｓ１７）。つまり、乗りかご２０Ｓに、メール呼びの発生階を停止予定階として割り当てる。
【００６７】
現時刻がピーク時間帯に含まれる場合（Ｓ１６でＹＥＳ）、エレベータ制御装置１０Ｓは、メール呼びを現在利用できないことを報知する情報を報知情報表示部１２２に表示させる（Ｓ１８）。例えば、報知情報表示部１２２に、「現在、ピーク時間帯であるため、メール呼びを利用できません」と表示させる。
【００６８】
図１６は、エレベータ制御装置１０Ｓによるかごの運行制御及び通知動作の一例を示したフローチャートである。図１６のフローチャートの処理は、図１５のフローチャートの処理と並行して実行される。
【００６９】
エレベータ制御装置１０Ｓは、乗りかご２０Ｓが通常停止階に到着したか否かを判断する（Ｓ１０１）。
【００７０】
乗りかご２０Ｓが通常停止階に到着したと判断した場合（Ｓ１０１でＹＥＳ）、エレベータ制御装置１０Ｓは、ドアモータ用インバータ４２を介してドアモータ３３を駆動して、扉５０Ｌ、５０Ｒを開かせる（Ｓ１０２）。このとき、エレベータ制御装置１０Ｓは、図６Ａ（ｃ）、図６Ｃに示すように、乗場から見て集配用開口２０１ａが露出しないように、扉５０Ｌ、５０Ｒを所定量だけ開かせる。これにより、乗客は、乗りかご２０Ｓに乗降できるが、メール集配棚２００の集配用開口２０１ａにはアクセスできない。
【００７１】
エレベータ制御装置１０Ｓは、扉５０Ｌ、５０Ｒを開いてから所定開扉時間が経過したか、またはかご内操作盤３１の戸閉ボタンに対して戸閉操作があったか否かを判断する（Ｓ１０３）。前述したように、所定開扉時間は、乗客の乗降に要する時間に基づいて設定された時間であり、例えば１０秒である。
【００７２】
扉５０Ｌ、５０Ｒを開いてから所定開扉時間が経過しておらず、また戸閉操作もない場合（Ｓ１０３でＮＯ）、エレベータ制御装置１０Ｓは、ステップＳ１０３の判断を再度実行する。
【００７３】
扉５０Ｌ、５０Ｒを開いてから所定開扉時間が経過した場合または戸閉操作があった場合（Ｓ１０３でＹＥＳ）、エレベータ制御装置１０Ｓは、ドアモータ用インバータ４２を介してドアモータ３３を駆動して、図６Ａ（ａ）に示すように、扉５０Ｌ、５０Ｒを開じさせる。
【００７４】
エレベータ制御装置１０Ｓは、昇降モータ用インバータ４１を介して昇降モータ３２を駆動して、次の停止予定階への乗りかご２０Ｓの移動を開始させる（Ｓ１０５）、ステップＳ１０１の処理に戻る。停止予定階には、通常停止階とメール停止階の両方が含まれる。
【００７５】
エレベータ制御装置１０Ｓは、出発した（応答完了した）通常停止階を停止予定階から削除し（Ｓ１０６）、ステップＳ１０１の処理に戻る。
【００７６】
ステップＳ１０１において、乗りかご２０Ｓが通常停止階に到着していないと判断した場合（Ｓ１０１でＮＯ）、エレベータ制御装置１０Ｓは、乗りかご２０Ｓがメール停止階に到着したか否かを判断する（Ｓ１０７）。
【００７７】
乗りかご２０Ｓがメール停止階に到着していないと判断した場合（Ｓ１０７でＮＯ）、エレベータ制御装置１０Ｓは、ステップＳ１０１の処理に戻る。
【００７８】
乗りかご２０Ｓがメール停止階に到着したと判断した場合（Ｓ１０７でＹＥＳ）、エレベータ制御装置１０Ｓは、ドアモータ用インバータ４２を介してドアモータ３３を駆動して、扉５０Ｌ、５０Ｒを開かせる（Ｓ１０８）。このとき、エレベータ制御装置１０Ｓは、図６Ａ（ｂ）、図６Ｂ、図４Ａに示すように、乗場から見て集配用開口２０１ａが露出するように、扉５０Ｌ、５０Ｒを全開状態まで開かせる。これにより、メール集配担当者がメール集配棚２００の集配用開口２０１ａにアクセスして、メール集配作業を行うことが可能となる。なお、このとき扉５０Ｌ、５０Ｒの開放時間を無時限とする。
【００７９】
エレベータ制御装置１０Ｓは、各階の乗場の報知情報表示部１２２に、他階でメール呼びに伴う集配作業が行なわれていることを示す表示信号を出力し、「メール呼び作業中」の表示を行わせる（Ｓ１０９）。
【００８０】
エレベータ制御装置１０Ｓは、メール呼び操作盤１３０の戸閉用キースイッチ１３２に対して戸閉操作があったか否かを判断する（Ｓ１１０）。
【００８１】
戸閉操作がない場合（Ｓ１１０でＮＯ）、ステップＳ１１０の判断を再度実行する。
【００８２】
戸閉操作があった場合（Ｓ１１０でＹＥＳ）、エレベータ制御装置１０Ｓは、ドアモータ用インバータ４２を介してドアモータ３３を駆動して、図６Ａ（ａ）に示すように、扉５０Ｌ、５０Ｒを開じさせる（Ｓ１１１）。
【００８３】
エレベータ制御装置１０Ｓは、各階の乗場の報知情報表示部１２２への、他階でメール呼びに伴う集配作業が行なわれていることを示す表示信号の出力を終了し、「メール呼び作業中」の表示を終了させる（Ｓ１１２）。
【００８４】
エレベータ制御装置１０Ｓは、昇降モータ用インバータ４１を介して昇降モータ３２を駆動して、次の停止予定階への乗りかご２０Ｓの移動を開始させる（Ｓ１１３）。停止予定階には、通常停止階とメール停止階の両方が含まれる。
【００８５】
エレベータ制御装置１０Ｓは、出発した（応答完了した）メール停止階を停止予定階から削除する（Ｓ１１４）。
【００８６】
エレベータ制御装置１０Ｓは、各メールボックス２０１について、メール物品が投函されたか否かを判断する（Ｓ１１５）。エレベータ制御装置１０Ｓは、例えば、各停止予定階から移動を開始する都度、各メールボックス２０１について、内部にメール物品が存在しているか否かを各階用のメールセンサ２１０からの信号に基づいて判断して記憶する。そして、各メールボックス２０１について、前回の停止予定階からの移動開始時におけるメール物品の有無と、今回の停止予定階からの移動開始時におけるメール物品の有無とを比較する。そして、前回の停止予定階からの移動開始時にメール物品が無く、今回の停止予定階からの移動開始時にメール物品が有る場合、今回の停止予定階でメール物品が投函されたと判断する。逆に、前回の停止予定階からの移動開始時にメール物品が有り、今回の停止予定階からの移動開始時にメール物品が無い場合、今回の停止予定階でメール物品が取り出されたと判断する。
【００８７】
メール物品が投函されたメールボックス２０１がある場合（Ｓ１１５でＹＥＳ）、エレベータ制御装置１０Ｓは、メール物品が投函されたメールボックス２０１に関連付けられている階床（以下適宜「宛先階」という）に関連付けて、今回のメール停止階（以下適宜「差出階」という）を記憶する（Ｓ１１６）。
【００８８】
エレベータ制御装置１０Ｓは、宛先階に関連付けて投函時刻を記憶する（Ｓ１１７）。メール投函時刻としては、例えば、ステップＳ１１５において、メール物品が投函されたと判断した時刻を用いることができる。
【００８９】
エレベータ制御装置１０Ｓは、宛先階のメール集配担当者の携帯端末４００に、メール物品が投函された旨の通知を送信し（Ｓ１１８）。エレベータ制御装置１０Ｓは、宛先階に関連付けられているメール集配担当者（以下適宜「宛先階のメール集配担当者」という）に、メール物品が投函された旨の通知を送信する。なお、エレベータ制御装置１０Ｓは、各階のメール集配担当者の送信先情報を記憶部に格納しており、その送信先情報に基づいて、メール物品が投函された旨の通知を送信する。このとき、宛先階のメール集配担当者の携帯端末４００に、例えば図１１に示すような通知が表示される。これにより、宛先階のメール集配担当者に、メール物品が投函されたことを確実に知らせることができる。
【００９０】
ステップＳ１１５において、メール物品が投函されたメールボックス２０１がない場合（Ｓ１１５でＮＯ）、エレベータ制御装置１０Ｓは、各メールボックス２０１について、メール物品が取り出されたか否かを判断する（Ｓ１１９）。メール物品が取り出されたか否かの判断は、ステップＳ１１５で説明したような方法により行うことができる。
【００９１】
メール物品が取り出されたメールボックス２０１がある場合（Ｓ１１９でＹＥＳ）、エレベータ制御装置１０Ｓは、当該メールボックス２０１に関連付けて記憶されている差出階のメール集配担当者（以下適宜「差出階のメール集配担当者」という）に、メール物品が取り出された旨の通知を送信する（Ｓ１２０）。このとき、差出階のメール集配担当者の携帯端末４００に、例えば図１２に示すような通知が表示される。これにより、差出階のメール集配担当者に、メール物品が取り出されたことを確実に知らせることができる。
【００９２】
エレベータ制御装置１０Ｓは、ステップＳ１１８またはＳ１２０を実行すると、ステップＳ１０１の処理に戻る。
【００９３】
図１７は、エレベータ制御装置１０Ｓの通知動作の一例を示したフローチャートである。図１７のフローチャートの処理は、図１５、図１６のフローチャートの処理と並行して実行される。
【００９４】
エレベータ制御装置１０Ｓは、投函時刻から所定時間取り出されていないメール物品があるか否かを判断する（Ｓ２０１）。所定時間は、例えば１時間である。投函時刻としては、図１６のフローチャートのステップＳ１１５で投函が検知された際に、ステップＳ１１７で宛先階に関連付けて記憶されている時刻が用いられる。
【００９５】
投函時刻から所定時間取り出されていないメール物品がない場合（Ｓ２０１でＮＯ）、エレベータ制御装置１０Ｓは、本ステップＳ２０１の処理を再度実行する。
【００９６】
投函時刻から所定時間取り出されていないメール物品がある場合（Ｓ２０１でＹＥＳ）、エレベータ制御装置１０Ｓは、宛先階のメール集配担当者に、メール物品の取り出しを促す通知を送信する（Ｓ２０２）。このとき、宛先階のメール集配担当者の携帯端末４００に、例えば図１３に示すような通知が表示される。これにより、宛先階のメール集配担当者に、メール物品の取り出しを促すことができる。
【００９７】
エレベータ制御装置１０Ｓは、差出階のメール集配担当者に、メール物品が取り出されていない旨の通知を送信する（Ｓ２０３）。このとき、差出階のメール集配担当者の携帯端末４００に、例えば図１４に示すような通知が表示される。これにより、差出階のメール集配担当者に、メール物品が取り出されていない旨を通知することができる。
【００９８】
３．本実施の形態のエレベータシステムの作用
まず、従来の社内メール便の課題について説明する。例えば１社が占有するオフィスビルでは、各階のフロアに、その階床用の社内メールボックスを配置される場合がある。この場合、メール集配担当者は、ある階床（以下「宛先階」という）の社内メールボックスにメール物品を投函する場合、メール集配担当者のデスクがある階床(以下「ホーム階」という）から宛先階までエレベータを利用して移動して投函する必要がある。また、投函後、当該メール集配担当者は、エレベータを利用して宛先階からホーム階まで戻る必要がある。この場合、メール集配担当者は、メール投函のために、エレベータを利用して、ホーム階と宛先階との間を往復移動する必要がある。この際、ホーム階から宛先階に向かうためのエレベータ利用操作として、ホーム階の乗場で宛先階方向の方向ボタンを押して乗りかごを呼び、乗りかご内に乗車後に、宛先階の階床ボタンを押す必要がある。また、宛先階からホーム階に戻るためのエレベータ利用操作として、当該宛先階の乗場で、ホーム階方向の方向ボタンを押して乗りかごを呼び、乗りかご内に乗車後に、ホーム階の階床ボタンを押す必要がある。また、宛先階の数の分だけ上記作業を繰り返し行わないといけない場合がある。なお、宛先階の社内メールボックスに投函されたメール物品を取り出す場合、宛先階のメール集配担当者は、宛先階内で当該社内メールボックスの位置まで移動することでメール物品を取り出すことができる。
【００９９】
また、他の従来例では、例えばビル玄関階（ビル入口階）である１階のフロアに、全階分の社内メールボックスが配置される場合がある。この場合、メール集配担当者は、ある（以下「宛先階」という）の社内メールボックスにメール物品を届ける場合、メール集配担当者のデスクがある階床(以下「ホーム階」という）から１階までエレベータを利用して移動して投函する必要がある。また、投函後、当該メール集配担当者は、エレベータを利用して１階からホーム階まで戻る必要がある。この場合、メール集配担当者は、メール投函のために、エレベータを利用して、ホーム階と１階との間を往復移動する必要がある。この際、ホーム階から１階に向かうためのエレベータ利用操作として、ホーム階の乗場で１階方向の方向ボタンを押して乗りかごを呼び、乗りかご内に乗車後に、１階の階床ボタンを押す必要がある。また、１階からホーム階に戻るためのエレベータ利用操作として、１階の乗場で、ホーム階方向の方向ボタンを押して乗りかごを呼び、乗りかご内に乗車後に、ホーム階の階床ボタンを押す必要がある。なお、１階の社内メールボックスに投函されたメール物品を取り出す場合、各階のメール集配担当者は、メール投函の際と同様のエレベータ利用を行う必要がある。
【０１００】
このような課題を解決するために、本実施の形態のエレベータ１Ｓは、以下のように構成される。すなわち、エレベータ１Ｓは、乗客が乗降する乗降口２０ａを有する乗りかご２０Ｓと、乗りかご２０Ｓ内に配置され、階毎の複数のメールボックス２０１を有するメール集配棚２００と、を備える。そして、各メールボックス２０１の集配用開口２０１ａが、停止階で停止中の乗りかご２０Ｓにメール集配担当者が乗車せずとも、乗場から乗降口２０ａを介してメール集配担当者の手が届く位置に配置される。この構成によれば、メール集配担当者は、メール集配担当者の席があるホーム階に乗りかご２０Ｓを呼んで、ホーム階の乗場から宛先階用のメールボックス２０１にメール物品を投函し、あるいはホーム階用のメールボックス２０１からメール物品を取り出すだけで、メール集配作業が完了する。そのため、メール集配作業に要する手間や時間を削減し、メール集配作業を効率化できる。また、従来のように乗りかごをホーム階と目的階または１階との間で往復させる必要がなく、ホーム階に呼ぶだけでよいので、エレベータ１Ｓの電力消費を削減できる。
【０１０１】
また、本実施の形態のエレベータシステムは、以下のように構成される。すなわち、エレベータシステムは、乗客が乗降する乗降口２０ａを有する乗りかご２０Ｓと、乗りかご２０Ｓ内に配置されたメール集配棚２００と、乗降口２０ａを開閉する扉５０Ｌ、５０Ｒと、扉５０Ｌ、５０Ｒの開閉を制御する制御装置１０００と、を備える。制御装置１０００は、メール集配棚２００を利用するためのメール呼びが発生した場合、メール呼びの発生階に乗りかご２０Ｓが到着した際に扉５０Ｌ、５０Ｒを無時限で開かせるとともに、戸閉操作がなされたときに扉５０Ｌ、５０Ｒを閉じさせ、メール呼び以外の通常呼びが発生した場合、メール呼びの発生階に乗りかご２０Ｓが到着した際に扉５０Ｌ、５０Ｒを開かせるとともに、扉５０Ｌ、５０Ｒを開かせたときから所定開扉時間の経過後に扉５０Ｌ、５０Ｒを閉じさせる。この構成によれば、乗りかご２０Ｓ内に配置されたメール集配棚２００におけるメール物品の集配作業をメール集配担当者が行う際には、メール呼びを発生させることにより、扉５０Ｌ、５０Ｒが無時限で開かれるので、時間的に余裕を持って集配作業を行うことができる。一方、通常呼びの場合には、扉５０Ｌ、５０Ｒを開かせたときから所定開扉時間の経過後に扉５０Ｌ、５０Ｒが自動で閉じるため、扉５０Ｌ、５０Ｒが開きっ放しになることが防止される。
【０１０２】
（実施の形態１の変形例）
実施の形態１の変形例１〜６を説明する。
【０１０３】
実施の形態１では、メール集配棚２００が、図２、図３、図４Ａ、図４Ｂに示されるように、乗降口２０ａにおける左右方向の側部にそれぞれ配置される例を示した。しかし、配置はこれに限られない。配置に関する変形例１〜３を説明する。
【０１０４】
−変形例１−
図１８は、実施の形態１の変形例１を説明した図である。
【０１０５】
変形例１では、メール集配棚２００が、図１８に示されるように、乗降口２０ａにおける、乗場から見て右側の側部にのみ配置されている。エレベータ制御装置１０Ｓは、メール呼びが発生した場合、図１８（ｂ）に示すように、乗場から見て集配用開口２０１ａが露出するように、左右の扉５０Ｌ、５０Ｒを全開させる。これにより、メール集配担当者がメール集配棚２００の集配用開口２０１ａにアクセスして、メール集配作業を行うことが可能となる。そして、戸閉操作があった場合に、図１８（ａ）のように、左右の扉５０Ｌ、５０Ｒを閉じさせる。一方、通常呼びが発生した場合、図１８（ｃ）に示すように、乗場から見て集配用開口２０１ａが露出しないように、左側の扉５０Ｌについては全開させるが、メール集配棚２００が配置されている右側の扉５０Ｒについては、所定量だけ開かせる。これにより、乗客は、乗りかご２０Ｓに乗降できるが、メール集配棚２００の集配用開口２０１ａにはアクセスできない。そして、扉５０Ｌ、５０Ｒを開かせたときから所定開扉時間の経過後、または乗りかご２０Ｓ内で戸閉操作があった場合に、図１８（ａ）のように、左右の扉５０Ｌ、５０Ｒを閉じさせる。なお、メール呼びが発生した場合に、図１８（ｄ）に示すように、メール集配棚２００が配置されている右側の扉５０Ｒのみを全開させてもよい。
【０１０６】
−変形例２−
図１９は、実施の形態１の変形例２を説明した図である。
【０１０７】
変形例２では、メール集配棚２００が、図１９に示されるように、乗降口２０ａにおける、乗場から見て右側の側部にのみ配置されている。また、扉５０が、片方向に開く１枚扉である。エレベータ制御装置１０Ｓは、メール呼びが発生した場合、図１９（ｂ）に示すように、乗場から見て集配用開口２０１ａが露出するように、扉５０を全開させる。これにより、メール集配担当者がメール集配棚２００の集配用開口２０１ａにアクセスして、メール集配作業を行うことが可能となる。そして、戸閉操作があった場合に、図１９（ａ）のように、扉５０を閉じさせる。一方、通常呼びが発生した場合、図１９（ｃ）に示すように、乗場から見て集配用開口２０１ａが露出しないように、所定量だけ扉５０を開かせる。これにより、乗客は、乗りかご２０Ｓに乗降できるが、メール集配棚２００の集配用開口２０１ａにはアクセスできない。そして、扉５０を開かせたときから所定開扉時間の経過後、または乗りかご２０Ｓ内で戸閉操作があった場合に、図１９（ａ）のように、扉５０を閉じさせる。
【０１０８】
−変形例３−
図２０は、実施の形態１の変形例３を説明した図である。
【０１０９】
変形例３では、図２０（ｄ）に示されるように、メール集配棚２００として、メール集配担当者の利用のみを許容する第１メール集配棚２００Ａと、メール集配担当者でない特定担当者の利用を許容する第２メール集配棚２００Ｂとが設けられている。第１メール集配棚２００Ａと前記第２メール集配棚２００Ｂとは、乗降口２０ａの幅方向に隣接して配置されている。特定担当者は、例えば郵便事業者、宅配事業者などである。特定担当者が所持する携帯端末４００には、上述したのと同様のアプリケーションプログラムがインストールされる。特定担当者は、図９の設定画面において、メール集配担当者ＩＤとして、エレベータ管理者などから特定担当者に対して付与されたユーザＩＤを登録する。特定担当者は、特定担当者が利用を許可されている階床を登録する。エレベータ制御装置１０Ｓは、メール集配担当者ＩＤに基づいて、メール集配担当者によるメール呼びが発生したのか、特定担当者によるメール呼びが発生したのかを判断する。エレベータ制御装置１０Ｓは、メール集配担当者によるメール呼びが発生した場合、図２０（ｄ）に示すように、乗場から見て第１メール集配棚２００Ａ及び第２メール集配棚２００Ｂの集配用開口２０１ａ、２０１ｂが露出するように、左右の扉５０Ｌ、５０Ｒを全開させる。これにより、メール集配担当者が第１メール集配棚２００Ａ及び第２メール集配棚２００Ｂの集配用開口２０１ａ、２０１ｂにアクセスして、メール集配作業を行うことが可能となる。一方、特定担当者によるメール呼びが発生した場合、図２０（ｂ）に示すように、乗場から見て第１メール集配棚２００Ａの集配用開口２０１ａは露出しないが、第２メール集配棚２００Ｂの集配用開口２０１ｂは露出するように、左側の扉５０Ｌのみを開かせる。これにより、特定担当者は、第２メール集配棚２００Ｂの集配用開口２０１ｂにアクセスしてメール集配作業を行うことが可能となるが、第１メール集配棚２００Ａの集配用開口２０１ａにはアクセスできない。そして、図２０（ｄ）または図２０（ｂ）の状態において、メール集配担当者または特定担当者の携帯端末４００から戸閉要求信号を受信した場合、エレベータ制御装置１０Ｓは、図２０（ａ）のように、左右の扉５０Ｌ、５０Ｒを閉じさせる。一方、通常呼びが発生した場合、図２０（ｃ）に示すように、乗場から見て集配用開口２０１ａ、２０１ｂが露出しないように、左右の扉５０Ｌ、５０Ｒを開かせる。これにより、乗客は、乗りかご２０Ｓに乗降できるが、第１メール集配棚２００Ａ及び第２メール集配棚２００Ｂの集配用開口２０１ａ、２０１ｂにアクセスできない。このとき、左右の扉５０Ｌ、５０Ｒの開き量は異なる。そして、扉５０Ｌ、５０Ｒを開かせたときから所定開扉時間の経過後、または乗りかご２０Ｓ内で戸閉操作があった場合に、図２０（ａ）のように、左右の扉５０Ｌ、５０Ｒを閉じさせる。
【０１１０】
−変形例４−
図２１は、実施の形態１の第４の変形例を説明した図である。
【０１１１】
実施の形態１では、メールボックス２０１の蓋２０２が、図５に示されるように、内開きする例を示した。しかし、図２１に二点鎖線で示すように、メールボックス２０１の蓋２０２が外開きするように構成されてもよい。なお、蓋２０２が二点鎖線で示すように外開きした状態で扉５０Ｌ、５０Ｒを閉じると、扉５０Ｌ、５０Ｒが蓋２０２に接触する虞があるため、蓋２０２が開いていることを検知するセンサをメールボックス２０１またはメール集配棚２００に設ける。そして、蓋２０２が開いていることを検知中は、エレベータ制御装置１０Ｓは戸閉操作を受け付けないようにする。
【０１１２】
−変形例５−
実施の形態１では、本発明におけるメール呼び操作部として、メール呼び用キースイッチ１３１を例示した。しかし、本発明におけるメール操作部はこれに限定されない。例えば、メール呼び用キースイッチ１３１に代えてカードリーダ（認証情報取得部の一例）を概ね同じ位置に設けてもよい。この場合、制御装置１０００（エレベータ制御装置１０Ｓ）は、メール集配担当者が所持しているＩＣカードあるいは携帯端末４００などから認証情報を読み取り、カードリーダで取得された認証情報が正規なものである場合に、メール呼びが発生したと判断する。認証情報としては、例えばメール集配担当者ＩＤなどを用いることができる。なお、認証情報取得部として、指紋情報取得部、虹彩情報取得部、顔情報取得部などを設けてもよい。
【０１１３】
あるいは、メール呼び用キースイッチ１３１に代えてテンキーを概ね同じ位置に設けてもよい。この場合、制御装置１０００（エレベータ制御装置１０Ｓ）は、テンキーで所定のパスワードが入力された場合に、メール呼びが発生したと判断する。パスワードとしては、例えばメール集配担当者ＩＤなどを用いることができる。
【０１１４】
−変形例６−
実施の形態１では、本発明における戸閉操作部として、戸閉用キースイッチ１３２を例示した。しかし、本発明における戸閉操作部はこれに限定されない。例えば、戸閉用キースイッチ１３２に代えてカードリーダ（認証情報取得部の一例）を概ね同じ位置に設けてもよい。この場合、制御装置１０００（エレベータ制御装置１０Ｓ）は、メール集配担当者が所持しているＩＣカードあるいは携帯端末４００などから認証情報を読み取り、カードリーダで取得された認証情報が正規なものである場合に、メール呼びの発生に伴って開いている扉５０Ｌ、５０Ｒを閉じさせる。認証情報としては、例えばメール集配担当者ＩＤなどを用いることができる。なお、認証情報取得部として、指紋情報取得部、虹彩情報取得部、顔情報取得部などを設けてもよい。
【０１１５】
あるいは、戸閉用キースイッチ１３２に代えてテンキーを概ね同じ位置に設けてもよい。この場合、制御装置１０００（エレベータ制御装置１０Ｓ）は、テンキーで所定のパスワードが入力された場合に、メール呼びの発生に伴って開いている扉５０Ｌ、５０Ｒを閉じさせる。パスワードとしては、例えばメール集配担当者ＩＤなどを用いることができる。
【０１１６】
（実施の形態２）
実施の形態１では、１台のエレベータ１Ｓ（１台の乗りかご２０Ｓ）を有するエレベータシステムについて説明した。しかし、本発明は、複数台のエレベータ（複数台の乗りかご）を有するエレベータシステムにも適用可能である。以下、その具体例を説明する。
【０１１７】
１．構成
図２２は、実施の形態２におけるエレベータシステムの構成を示した図である。
【０１１８】
図２２に示すように、実施の形態２におけるエレベータシステムは、複数台のエレベータ１Ｎ、１Ｓ（複数台の乗りかご２０Ｎ、２０Ｓ）を有する。そして、複数台の乗りかご２０Ｎ、２０Ｓのうちの１台の乗りかご２０Ｓ（以下では適宜「特定乗りかご２０Ｓ」という）に、メール集配棚２００が配置されている。以下では、乗りかご２０Ｎ、２０Ｓの区別を容易化するために、乗りかご２０Ｓを、以下適宜、「特定乗りかご２０Ｓ」という。特定乗りかご２０Ｓを有するエレベータ１Ｓを、以下適宜、「特定エレベータ１Ｓ」という。また、特定乗りかご２０Ｓ以外の通常の乗りかご２０Ｎを有するエレベータ１Ｎを、以下適宜、「通常エレベータ１Ｎ」という。通常エレベータ１Ｎは、それぞれ、乗りかご２０Ｎと、乗りかご２０Ｎを昇降させる昇降機構３９と、釣合おもり３８と、エレベータ制御装置１０Ｎとを備える。また、特定エレベータ１Ｓは、特定乗りかご２０Ｓと、特定乗りかご２０Ｓを昇降させる昇降機構３９と、釣合おもり３８と、エレベータ制御装置１０Ｓとを有している。また、エレベータシステムは、複数台のエレベータ１Ｎ、１Ｓの運行を統合的に制御する群管理制御装置５００を備えている。エレベータ制御装置１０Ｎ、１０Ｓは、それぞれ、群管理制御装置５００に接続されている。群管理制御装置５００及びエレベータ制御装置１０Ｎ、１０Ｓは、本発明における制御装置の一例であり、制御装置１０００ともいう。
【０１１９】
群管理制御装置５００は、メール呼びが発生した場合、メール呼びを特定エレベータ１Ｓ（特定乗りかご２０Ｓ）に割り当てる。一方、通常呼びが発生した場合、群管理制御装置５００は、通常呼びを、特定乗りかご２０Ｓ及び通常エレベータ１Ｎを含む全エレベータ（全乗りかご）のうちのいずれかに割り当てる。以下、実施の形態２におけるエレベータシステムの構成や動作について詳しく説明する。
【０１２０】
図２３は、群管理制御装置５００のハードウェア構成の一例を示したブロック図である。
【０１２１】
群管理制御装置５００には、通常エレベータ１Ｎ用のエレベータ制御装置１０Ｎ(以下適宜「通常エレベータ制御装置１０Ｎ」という）と、特定エレベータ１Ｓ用のエレベータ制御装置(以下適宜「特定エレベータ制御装置１０Ｓ」という）と、各階乗場の通常呼び操作盤１１０とが接続されている。各階乗場の通常呼び操作盤１１０は、通常エレベータ１Ｎと特定エレベータ１Ｓとで個別に設けられるのでなく、共通で設けられている。
【０１２２】
群管理制御装置５００は、プロセッサ５１１、記憶部５１２、入出力インタフェース５１３を有する。群管理制御装置５００は、実施の形態１のエレベータ制御装置１０Ｓ同様、コンピュータなどを利用して構成できる。
【０１２３】
図２４は、特定エレベータ制御装置１０Ｓのハードウェア構成の一例を示したブロック図である。
【０１２４】
特定エレベータ制御装置１０Ｓには、実施の形態１のエレベータ制御装置１０Ｓと比べ、群管理制御装置５００がさらに接続されている。なお、前述したように、通常呼び操作盤１１０は群管理制御装置５００に接続されている。特定エレベータ制御装置１０Ｓは、実施の形態１のエレベータ制御装置１０Ｓ同様、コンピュータなどを利用して構成できる。
【０１２５】
図２５は、通常エレベータ制御装置１０Ｎのハードウェア構成の一例を示したブロック図である。
【０１２６】
各通常エレベータ１Ｎはメール集配棚２００を備えていないため、その乗場には、実施の形態１のエレベータ１Ｓの乗場に設けられていたような報知情報表示部１２２及びメール呼び操作盤１３０（図２参照）は設けられていない。また、メールセンサ２１０や無線通信装置３００も設けられていない。そのため、通常エレベータ制御装置１０Ｎには、報知情報表示部１２２、メール呼び操作盤１３０、メールセンサ２１０、及び無線通信装置３００は接続されていない。通常エレベータ制御装置１０Ｎには、特定エレベータ制御装置１０Ｓ同様に、群管理制御装置５００が接続されている。通常エレベータ制御装置１０Ｎは、実施の形態１のエレベータ制御装置１０Ｓ同様、コンピュータなどを利用して構成できる。
【０１２７】
２．動作
本実施の形態において、群管理制御装置５００は、いずれかの階の上方向呼びボタン１１１または下方向呼びボタン１１２が押されたことを検知した場合、その階で通常呼びが発生したと判断する。
【０１２８】
特定エレベータ制御装置１０Ｓは、メール呼び用キースイッチ１３１が操作されたことを検知した場合、または、携帯端末４００からメール呼び要求信号を受信した場合、メール呼びが発生したと判断し、群管理制御装置５００に、メール呼び信号を送信する。メール呼び信号は、メール呼びを特定エレベータ１Ｓに割り当てることを要求する指令と、メール呼びの発生階の情報を含む。
【０１２９】
群管理制御装置５００は、通常呼びが発生したと判断した場合、または特定エレベータ制御装置１０Ｓからメール呼び信号を受信したと判断した場合、エレベータの割り当てを行う。以下、くわしく説明する。
【０１３０】
図２６は、群管理制御装置５００の呼び割当動作の一例を示したフローチャートである。
【０１３１】
群管理制御装置５００は、通常呼びが発生したか否かを判断する（Ｓ３１１）。具体的に、群管理制御装置５００は、上方向呼びボタン１１１または下方向呼びボタン１１２が例えば乗客により押されたことを検知した場合、通常呼びが発生したと判断する。
【０１３２】
通常呼びが発生した場合（Ｓ３１１でＹＥＳ）、群管理制御装置５００は、特定エレベータ１Ｓがメール呼びに応答中であるか否かを判断する（Ｓ３１２）。群管理制御装置５００は、全エレベータ１Ｎ、１Ｓのエレベータ制御装置１０Ｎ、１０Ｓとの間でそれぞれ通信を行って、各エレベータ１Ｎ、１Ｓの乗りかご２０Ｎ、２０Ｓの現在階、進行方向を管理している。群管理制御装置５００は、例えばメール呼びの発生階で特定エレベータ１Ｓの特定乗りかご２０Ｓが停止しているときは、特定エレベータ１Ｓがメール呼びに応答中であると判断し、メール呼びの発生階から特定エレベータ１Ｓの特定乗りかご２０Ｓが出発したときに、メール呼びに対する応答が完了したと判断する。
【０１３３】
特定エレベータ１Ｓがメール呼びに応答中でない場合（Ｓ３１２でＮＯ）、群管理制御装置５００は、通常呼びの発生階と呼び方向とに基づいて、通常呼びを、全エレベータ１Ｎ、１Ｓのうちのいずれかに割り当てる（Ｓ３１３）。
【０１３４】
群管理制御装置５００は、割り当てたエレベータのエレベータ制御装置に、通常呼び応答指令信号を送信し（Ｓ３１４）、ステップＳ３１１の処理に戻る。通常呼び応答指令信号は、通常呼びへの応答を要求する指令と、通常呼びの発生階の情報と、通常呼びの呼び方向（上方向または下方向）の情報とを含む。
【０１３５】
ステップＳ３１２において特定エレベータ１Ｓがメール呼びに応答中である場合（Ｓ３１２でＹＥＳ）、群管理制御装置５００は、通常呼びの発生階と呼び方向とに基づいて、通常呼びを、全通常エレベータ１Ｎのうちのいずれかに割り当てて（Ｓ３１５）、ステップＳ３１４を実行する。特定エレベータ１Ｓにメール呼びを割り当てた後において応答が完了するまでは、メール呼び発生階でのメール集配棚２００でのメール物品の投函や取り出しのために、特定エレベータ１Ｓの特定乗りかご２０Ｓがメール呼び発生階で長時間停止する可能性がある、つまり通常呼びの乗客に長待ちをさせる可能性があるので、全通常エレベータ１Ｎのうちのいずれかに割り当てるものである。
【０１３６】
ステップＳ３１１において通常呼びが発生していない場合（Ｓ３１１でＮＯ）、群管理制御装置５００は、特定エレベータ制御装置１０Ｓからメール呼び信号を受信したか否かを判断する（Ｓ３１６）。
【０１３７】
メール呼び信号を受信していない場合（Ｓ３１６でＮＯ）、群管理制御装置５００は、ステップＳ３１１の処理に戻る（Ｓ３１７）。
【０１３８】
メール呼び信号を受信した場合（Ｓ３１６でＹＥＳ）、群管理制御装置５００は、現時刻がピーク時間帯に含まれるか否かを判断する（Ｓ３１７）。
【０１３９】
現時刻がピーク時間帯に含まれない場合（Ｓ３１７でＮＯ）、メール呼びを特定エレベータ１Ｓに割り当てる（Ｓ３１８）。
【０１４０】
群管理制御装置５００は、特定エレベータ１Ｓの特定エレベータ制御装置１０Ｓに、メール呼び応答指令信号を送信し（Ｓ３１９）、ステップＳ３１１の処理に戻る。メール呼び応答指令信号は、メール呼びへの応答を要求する指令と、メール呼びの発生階の情報とを含む。
【０１４１】
ステップＳ３１７において現時刻がピーク時間帯に含まれる場合（Ｓ３１７でＹＥＳ）、群管理制御装置５００は、特定エレベータ制御装置１０Ｓにメール呼び利用不可信号を送信し（Ｓ３２０）、ステップＳ３１１の処理に戻る。メール呼び利用不可信号は、メール呼びを現在利用できないことを報知する情報を報知情報表示部１２２に表示させることを要求する指令と、メール呼びの発生階の情報とを含む。
【０１４２】
次に、通常呼び応答指令信号、メール呼び応答指令信号、メール呼び利用不可信号に基づく、特定エレベータ制御装置１０Ｓの動作について説明する。
【０１４３】
図２７は、特定エレベータ制御装置１０Ｓの呼び応答動作の一例を示したフローチャートである。
【０１４４】
特定エレベータ制御装置１０Ｓは、群管理制御装置５００から通常呼び応答指令信号を受信したか否かを判断する（Ｓ４１１）。
【０１４５】
通常呼び応答指令信号を受信した場合（Ｓ４１１でＹＥＳ）、特定エレベータ制御装置１０Ｓは、通常呼び応答指令信号が示す通常呼び発生階を通常停止階に設定する（Ｓ４１２）。
【０１４６】
特定エレベータ制御装置１０Ｓは、かご内操作盤３１でいずれかの階床ボタンに押下操作があったか否かを判断する（Ｓ４１３）。
【０１４７】
いずれかの階床ボタンに押下操作があった場合（Ｓ４１３でＹＥＳ）、特定エレベータ制御装置１０Ｓは、階床ボタンで指定された階床を通常停止階に設定するとともに、群管理制御装置５００に、追加設定した通常停止階を通知する（Ｓ４１４）。特定エレベータ制御装置１０Ｓは、ステップＳ４１１の処理に戻る。
【０１４８】
いずれの階床ボタンにも押下操作がない場合（Ｓ４１３でＮＯ）、特定エレベータ制御装置１０Ｓは、ステップＳ４１１の処理に戻る。
【０１４９】
ステップＳ４１１において通常呼び応答指令信号を受信していない場合（Ｓ４１１でＮＯ）、特定エレベータ制御装置１０Ｓは、群管理制御装置５００からメール呼び応答指令信号を受信したか否かを判断する（Ｓ４１５）。
【０１５０】
メール呼び応答指令信号を受信した場合（Ｓ４１５でＹＥＳ）、特定エレベータ制御装置１０Ｓは、メール呼び応答指令信号が示すメール呼び発生階をメール停止階に設定する（Ｓ４１６）。
【０１５１】
メール呼び応答指令信号を受信していない場合（Ｓ４１５でＮＯ）、特定エレベータ制御装置１０Ｓは、群管理制御装置５００からメール呼び利用不可信号を受信したか否かを判断する（Ｓ４１７）。
【０１５２】
メール呼び利用不可信号を受信した場合（Ｓ４１７でＹＥＳ）、特定エレベータ制御装置１０Ｓは、メール呼び利用不可信号が示すメール呼び発生階の報知情報表示部１２２にメール呼びを現在利用できない旨を表示させる（Ｓ４１８）。例えば、報知情報表示部１２２に、「現在、ピーク時間帯であるため、メール呼びを利用できません」と表示させる。
【０１５３】
メール呼び利用不可信号を受信していない場合（Ｓ４１７でＮＯ）、特定エレベータ制御装置１０Ｓは、ステップＳ４１３の処理を実行する。
【０１５４】
次に、特定エレベータ制御装置１０Ｓのかご運行動作及び通知動作について説明する。
【０１５５】
図２８は、特定エレベータ制御装置１０Ｓのかご運行動作及び通知動作の一例を示したフローチャートである。
【０１５６】
図２８のフローチャートでは、図１６のフローチャートのステップＳ１０６、Ｓ１１４に代えて、ステップＳ１０６Ａ、Ｓ１１４Ａの処理が行われる。
【０１５７】
具体的に、特定エレベータ制御装置１０Ｓは、ステップＳ１０５において次の停止予定階へ特定乗りかご２０Ｓの移動を開始させると（Ｓ１０５）、群管理制御装置５００に、出発した通常停止階を停止予定階から削除するとともに、当該通常停止階に対する応答が完了したことを示す応答完了信号を送信する（Ｓ１０６Ａ）。これにより、群管理制御装置５００は、当該通常停止階に対する応答が完了したことを認識できる。
【０１５８】
また、特定エレベータ制御装置１０Ｓは、ステップＳ１１３において次の停止予定階へ特定乗りかご２０Ｓの移動を開始させると（Ｓ１１３）、出発したメール停止階を停止予定階から削除するとともに、群管理制御装置５００に、当該メール停止階に対する応答が完了したことを示す応答完了信号を送信する（Ｓ１１４Ａ）。これにより、群管理制御装置５００は、当該メール停止階に対する応答が完了したことを認識できる。
【０１５９】
次に、通常呼び応答指令信号に基づく、通常エレベータ制御装置１０Ｎの動作について説明する。
【０１６０】
図２９は、通常エレベータ制御装置１０Ｎの呼び応答動作の一例を示したフローチャートである。
【０１６１】
通常エレベータ制御装置１０Ｎは、群管理制御装置５００から通常呼び応答指令信号を受信したか否かを判断する（Ｓ５１１）。
【０１６２】
通常呼び応答指令信号を受信していない場合（Ｓ５１１でＮＯ）、通常エレベータ制御装置１０Ｎは、ステップＳ５１１の処理を再度実行する。
【０１６３】
通常呼び応答指令信号を受信した場合（Ｓ５１１でＹＥＳ）、通常エレベータ制御装置１０Ｎは、通常呼び応答指令信号が示す通常呼び発生階を通常停止階に設定する（Ｓ５１２）。
【０１６４】
通常エレベータ制御装置１０Ｎは、かご内操作盤３１でいずれかの階床ボタンに押下操作があったか否かを判断する（Ｓ５１３）。
【０１６５】
いずれかの階床ボタンに押下操作があった場合（Ｓ５１３でＹＥＳ）、通常エレベータ制御装置１０Ｎは、階床ボタンで指定された階床を通常停止階に設定するとともに、群管理制御装置５００に、追加設定した通常停止階を通知する（Ｓ５１４）。通常エレベータ制御装置１０Ｎは、ステップＳ５１１の処理に戻る。
【０１６６】
いずれの階床ボタンにも押下操作がない場合（Ｓ５１３でＮＯ）、通常エレベータ制御装置１０Ｎは、ステップＳ５１１の処理に戻る。
【０１６７】
次に、通常エレベータ制御装置１０Ｎのかご運行動作及び通知動作について説明する。
【０１６８】
図３０は、通常エレベータ制御装置１０Ｎのかご運行動作の一例を示したフローチャートである。
【０１６９】
図３０のフローチャートでは、図２８のフローチャートにおける通常呼びに対する動作と概ね同じ動作が行われる。具体的には、図３０のフローチャートのステップＳ６１１〜Ｓ６１６では、図２８のフローチャートのステップＳ１０１〜Ｓ１０６Ａと概ね同じ動作が行われるが、本フローチャートのステップＳ６１１では、乗りかご２０Ｎが通常停止階に到着していないと判断した場合（Ｓ６１１でＮＯ）、通常エレベータ制御装置１０Ｎは、ステップＳ６１１の処理を再度実行する点で異なる。
【０１７０】
以上説明したように、実施の形態２のエレベータシステムは、複数台の乗りかご２０Ｎ、２０を備える。複数台の乗りかご２０Ｎ、２０のうちの１台の特定乗りかご２０Ｓにメール集配棚２００が配置されている。制御装置１０００は、複数台の乗りかご２０Ｎ、２０Ｓの運行を統合的に制御する。制御装置１０００は、メール呼びが発生した場合、メール呼びを特定乗りかご２０Ｓに割り当て、通常呼びが発生した場合、通常呼びを複数台の乗りかご２０Ｎ、２０Ｓのいずれかに割り当てる。これにより、複数台の乗りかご２０Ｎ、２０Ｓを備えたエレベータシステムにおいても、メール呼びを実現できる。その場合に、通常呼びについては、複数台の乗りかご２０Ｎ、２０Ｓのいずれかに割り当てることで、複数台の乗りかご２０Ｎ、２０Ｓを効率良く利用することができる。
【０１７１】
（実施の形態のまとめ）
１．乗りかごの構造
（１）本実施の形態のエレベータ１Ｓは、
乗客が乗降する乗降口２０ａを有する乗りかご２０Ｓと、
乗りかご２０Ｓ内に配置され、階毎の複数のメールボックス２０１を有するメール集配棚２００と、を備え、
各メールボックス２０１の集配用開口２０１ａが、停止階で停止中の乗りかご２０Ｓにメール集配担当者（人の一例）が乗車せずとも、乗場から乗降口２０ａを介してメール集配担当者の手が届く位置に配置される。
【０１７２】
この構成によれば、ビル内の階間のメール集配作業を効率化できる。
【０１７３】
（２）本実施の形態のエレベータ１Ｓにおいて、
集配用開口２０１ａが、乗場に面するように配置される。
【０１７４】
これにより、乗場からメール集配担当者の手が集配用開口２０１ａに届きやすくなり、メール物品を容易に投函したり、取り出したりすることができる。
【０１７５】
（３）本実施の形態のエレベータ１Ｓにおいて、
メール集配棚２００が、乗降口２０ａにおける左右方向の側部に配置される。
【０１７６】
これにより、乗客の乗降の妨げとなるのを抑制しつつ、メール集配棚２００を設けることができる。
【０１７７】
（５）本実施の形態のエレベータ１Ｓにおいて、
乗降口２０ａを開閉する扉５０Ｌ、５０Ｒと、
扉５０Ｌ、５０Ｒの開閉を制御する制御装置１０００と、を備え、
制御装置１０００は、
メール集配棚２００を利用するためのメール呼びが発生した場合、メール呼びの発生階に乗りかご２０Ｓが到着した際、乗場から見て集配用開口２０１ａが露出するように、扉５０Ｌ及び／または５０Ｒを開かせ、
メール呼び以外の通常呼びが発生した場合、通常呼びの発生階に乗りかご２０Ｓが到着した際、乗場から見て集配用開口２０１ａが露出しないように、扉５０Ｌ及び／または５０Ｒを開かせる。
【０１７８】
これにより、メール呼びでは、メール集配担当者がメール集配棚２００の集配用開口２０１ａにアクセスできるが、通常呼びでは、乗客はメール集配棚２００の集配用開口２０１ａにアクセスできない。そのため、乗りかご２０Ｓ内にメール集配棚２００を配置した場合でも、メール集配棚２００のセキュリティを適切に保持することができる。
【０１７９】
（７）本実施の形態のエレベータ１Ｓにおいて、
各メールボックス２０１に、その集配用開口２０１ａを開閉する蓋２０２が設けられ、
蓋２０２が、内開きの蓋である。
【０１８０】
これにより、メールボックス２０１内のメール物品が乗りかご２０Ｓの振動などによりメールボックス２０１外に落ちるのを防止することができる。また、外開きの場合、蓋２０２が開いた状態のときにはかご扉が蓋２０２に接触して、扉５０Ｌ、５０Ｒを閉じることができない虞があるため、蓋２０２が開いていることを検知するセンサをメールボックス２０１またはメール集配棚２００に設ける必要があるが、内開きではこのようなセンサを設ける必要がない。
【０１８１】
２．メール呼びに関する制御
（１）実施の形態のエレベータシステムは、
乗客が乗降する乗降口２０ａを有する乗りかご２０Ｓと、
乗りかご２０Ｓ内に配置されたメール集配棚２００と、
乗降口２０ａを開閉する扉５０Ｌ、５０Ｒと、
扉５０Ｌ、５０Ｒの開閉を制御する制御装置１０００と、を備え、
制御装置１０００は、
メール集配棚２００を利用するためのメール呼びが発生した場合、メール呼びの発生階に乗りかご２０Ｓが到着した際に扉５０Ｌ、５０Ｒを無時限で開かせるとともに、戸閉操作がなされたときに扉５０Ｌ、５０Ｒを閉じさせ、
メール呼び以外の通常呼びが発生した場合、メール呼びの発生階に乗りかご２０Ｓが到着した際に扉５０Ｌ、５０Ｒを開かせるとともに、扉５０Ｌ、５０Ｒを開かせたときから所定開扉時間の経過後に扉５０Ｌ、５０Ｒを閉じさせる。
【０１８２】
この構成によれば、乗りかご２０Ｓ内に配置されたメール集配棚２００におけるメール物品の集配作業をメール集配担当者が行う際には、メール呼びを発生させることにより、時間的に余裕を持って集配作業を行うことができる。一方、通常呼びの場合には、扉５０Ｌ、５０Ｒを開かせたときから所定開扉時間の経過後に扉５０Ｌ、５０Ｒが自動で閉じるため、扉５０Ｌ、５０Ｒが開きっ放しになることが防止される。
【０１８３】
（２）実施の形態のエレベータシステムにおいて、
メール集配棚２００の集配用開口２０１ａが、停止階で停止中の乗りかご２０Ｓにメール集配担当者が乗車せずとも、乗場から乗降口２０ａを介してメール集配担当者の手が届く位置で、乗場に面するように設けられ、
制御装置１０００は、
メール呼びの発生階に乗りかご２０Ｓが到着した際、乗場から見て集配用開口２０１ａが露出するように、扉５０Ｌ及び／または５０Ｒを開かせ、
通常呼びの発生階に乗りかご２０Ｓが到着した際、乗場から見て集配用開口２０１ａが露出しないように、扉５０Ｌ及び／または５０Ｒを開かせる。
【０１８４】
これにより、メール呼びでは、メール集配担当者がメール集配棚２００の集配用開口２０１ａにアクセスできるが、通常呼びでは、メール集配担当者及び乗客を含めて誰もメール集配棚２００の集配用開口２０１ａにアクセスできない。そのため、乗りかご２０Ｓ内にメール集配棚２００を配置した場合でも、メール集配棚２００のセキュリティを適切に保持することができる。
【０１８５】
（３）実施の形態のエレベータシステムにおいて、
乗場に、メール呼びを発生させるための操作を受け付けるメール呼び操作部が設けられている。
【０１８６】
これにより、メール集配担当者が、乗場でメール呼びを発生させることができるようになる。
【０１８７】
（４）実施の形態のエレベータシステムにおいて、
メール呼び操作部は、メール呼び用キースイッチ１３１であり、
制御装置１０００は、メール呼び用キースイッチ１３１に対して特定のキーによる所定操作があった場合に、メール呼びが発生したと判断する。
【０１８８】
これにより、特定のキーを所持している特定の人だけがメール呼びを発生させることができる。したがって、メール集配棚２００のセキュリティが向上する。
【０１８９】
（５）実施の形態のエレベータシステムにおいて、
メール呼び操作部は、カードリーダ（認証情報取得部の一例）であり、
制御装置１０００は、カードリーダで取得された認証情報が正規なものである場合に、メール呼びが発生したと判断する。
【０１９０】
これにより、認証情報を知っている者のみがメール呼びを発生させることができる。したがって、メール集配棚２００のセキュリティが向上する。
【０１９１】
（６）実施の形態のエレベータシステムにおいて、
制御装置１０００は、メール呼び要求信号を生成可能な携帯端末４００からメール呼び要求信号を受信した場合に、メール呼びが発生したと判断する。
【０１９２】
これにより、メール呼び要求信号を生成可能な携帯端末４００を所持している者のみがメール呼びを発生させることができる。したがって、メール集配棚２００のセキュリティが向上する。
【０１９３】
（７）実施の形態のエレベータシステムにおいて、
乗場に、メール呼びの発生に伴って開いている扉５０Ｌ、５０Ｒを閉じさせるための操作を受け付ける戸閉用キースイッチ１３２（戸閉操作部の一例）が設けられている。
【０１９４】
これにより、メール集配担当者が、乗場で扉５０Ｌ、５０Ｒを閉じさせることができるようになる。なお、かご内操作盤３１の戸閉ボタンの操作を受け付けないようにしてもよい。これにより、メール集配担当者が集配作業を行っている最中に意図せず扉５０Ｌ、５０Ｒが閉じられることを防止できる。
【０１９５】
（８）実施の形態のエレベータシステムにおいて、
戸閉操作部は、戸閉用キースイッチ１３２であり、
制御装置１０００は、戸閉用キースイッチ１３２に対して特定のキーによる所定操作があった場合に、メール呼びの発生に伴って開いている扉５０Ｌ、５０Ｒを閉じさせる。
【０１９６】
これにより、特定のキーを所持している特定の人だけが扉５０Ｌ、５０Ｒを閉じさせることができる。これにより、メール集配担当者が集配作業を行っている最中に意図せず扉５０Ｌ、５０Ｒが閉じられることを防止できる。
【０１９７】
（９）実施の形態のエレベータシステムにおいて、
戸閉操作部は、カードリーダ（認証情報取得部の一例）であり、
制御装置１０００は、カードリーダで取得された認証情報が正規なものである場合に、メール呼びの発生に伴って開いている扉５０Ｌ、５０Ｒを閉じさせる。
【０１９８】
これにより、特定のキーを所持している特定の人だけが扉５０Ｌ、５０Ｒを閉じさせることができる。これにより、メール集配担当者が集配作業を行っている最中に意図せず扉５０Ｌ、５０Ｒが閉じられることを防止できる。
【０１９９】
（１０）実施の形態のエレベータシステムにおいて、
制御装置１０００は、メール呼びの発生に伴って扉５０Ｌ、５０Ｒを開かせているときに、戸閉要求信号を生成可能な携帯端末４００から戸閉要求信号を受信した場合、メール呼びの発生に伴って開いている扉５０Ｌ、５０Ｒを閉じさせる。
【０２００】
これにより、戸閉要求信号を生成可能な携帯端末４００を所持している者のみが扉５０Ｌ、５０Ｒを閉じさせることができる。これにより、メール集配担当者が集配作業を行っている最中に意図せず扉５０Ｌ、５０Ｒが閉じられることを防止できる。
【０２０１】
（１１）実施の形態のエレベータシステムにおいて、
メール集配棚２００として、メール集配担当者の利用のみを許容する第１メール集配棚２００Ａと、メール集配担当者でない特定担当者の利用を許容する第２メール集配棚２００Ｂとが設けられ、
第１メール集配棚２００Ａと第２メール集配棚２００Ｂとは、乗降口２０ａの幅方向に離間してまたは隣接して配置され、
乗場に、メール呼びを発生させるための操作を受け付けるメール呼び操作部が設けられ、
メール呼び操作部は、カードリーダ（認証情報取得部の一例）であり、
制御装置１０００は、カードリーダで取得された認証情報がメール集配担当者または特定担当者に紐づけられた正規なものである場合に、メール集配担当者または特定担当者によるメール呼びが発生したと判断し、
制御装置１０００は、
メール集配担当者によるメール呼びが発生したと判断した場合、乗場から見て第１メール集配棚２００Ａ及び第２メール集配棚２００Ｂの集配用開口２０１ａが露出するように扉５０Ｌ及び／または５０Ｒを開かせ、
メール集配担当者でない特定担当者によるメール呼びが発生したと判断した場合、乗場から見て第１メール集配棚２００Ａの集配用開口２０１ａは露出しないが、第２メール集配棚２００Ｂの集配用開口２０１ａは露出するように扉５０Ｌ及び／または５０Ｒを開かせる。
【０２０２】
これにより、セキュリティを確保しつつ、メール集配担当者でない特定担当者にメール呼びを利用させることができるようになる。
【０２０３】
（１２）実施の形態のエレベータシステムにおいて、
制御装置１０００は、メール呼びの発生に伴って扉５０Ｌ、５０Ｒを開かせている間、各階の乗場に設けられた報知情報表示部１２２（報知装置の一例）に、現在メール集配作業中であることを報知させる。
【０２０４】
これにより、各階の乗場で乗車待ちしている人に、メール呼びに伴う集配作業により到着が遅くなる可能性があることを認識させることができる。
【０２０５】
（１３）実施の形態のエレベータシステムにおいて、
制御装置１０００は、
メール呼びが発生した時間帯が、交通需要が多いピーク時間帯である場合、メール呼びを乗りかご２０Ｓに割り当てない。
【０２０６】
これにより、交通需要が多いピーク時間帯に、通常呼びを適切に割り当てることができる。
【０２０７】
（１４）実施の形態のエレベータシステムにおいて、
制御装置１０００は、メール呼びを乗りかご２０Ｓに割り当てない場合、各階の乗場に設けられた報知情報表示部１２２（報知装置の一例）に、メール呼びを乗りかご２０Ｓに割り当てることができないことを報知させる。
【０２０８】
これにより、メール集配担当者が、現在メール呼びを利用できないことを認識できるようになる。
【０２０９】
（１５）実施の形態のエレベータシステムにおいて、
制御装置１０００は、メール呼びを乗りかご２０Ｓに割り当てない場合において、メール呼びが携帯端末４００に対する操作に基づくものであるときは、携帯端末４００に、メール呼びを乗りかご２０Ｓに割り当てることができないことを報知させる。
【０２１０】
これにより、メール集配担当者が、現在メール呼びを利用できないことを認識できるようになる。
【０２１１】
（１６）実施の形態のエレベータシステムにおいて、
複数台の乗りかご２０Ｎ、２０Ｓを備え、
複数台の乗りかご２０Ｎ、２０Ｓのうちの１台の特定乗りかご２０Ｓにメール集配棚２００が配置され、
制御装置１０００は、複数台の乗りかご２０Ｎ、２０Ｓの運行を統合的に制御し、
制御装置１０００は、  
メール呼びが発生した場合、メール呼びを特定乗りかご２０Ｓに割り当て、
通常呼びが発生した場合、通常呼びを複数台の乗りかご２０Ｎ、２０Ｓのいずれかに割り当てる。
【０２１２】
これにより、複数台の乗りかご２０Ｎ、２０Ｓを備えたエレベータシステムにおいて、メール呼びを実現できる。その場合に、通常呼びについては、複数台の乗りかご２０Ｎ、２０Ｓのいずれかに割り当てることで、複数台の乗りかご２０Ｎ、２０Ｓを効率良く利用することができる。
【０２１３】
（１７）実施の形態のエレベータシステムにおいて、
制御装置１０００は、メール呼びが特定乗りかご２０Ｓに割り当てられているときに通常呼びが発生した場合、通常呼びを複数台の乗りかご２０Ｎ、２０Ｓのうち特定乗りかご２０Ｓ以外のいずれかの乗りかご２０Ｎに割り当てる。
【０２１４】
これにより、メール呼びに伴う集配作業に伴って到着が遅くなる可能性がある特定乗りかご２０Ｓに、通常呼びが割り当てられることを防止できる。そのため、通常呼びの乗客が乗場で長時間待たされることを防止できる。
【０２１５】
（他の実施の形態）
前記実施の形態では、エレベータの扉が、左右２枚の扉５０Ｌ、５０Ｒで構成された例、及び１枚の扉５０で構成された例を示したが、本発明ではこれに限定されない。本発明は、エレベータの扉が左右方向に３枚の扉で構成される場合や、４枚の扉で構成されている場合にも適用可能である。
【０２１６】
前記実施の形態では、メール呼びの発生時と通常呼びの発生時とで、セキュリティのために、扉５０Ｌ、５０Ｒの開き量を異ならせる構成を例示した。しかし、本発明において、開き量を異ならせることは必須ではない。例えば、セキュリティが必要でない場合、例えばビルが自社ビルであり、１社しか入っていないような場合には、メール呼びの発生時と通常呼びの発生時とで扉５０Ｌ、５０Ｒの開き量を同じとしてもよい。
【０２１７】
前記実施の形態では、メールボックス２０１の集配用開口２０１ａが、乗場に面するように、メールボックス２０１の正面に設けられる。しかし、本発明では、乗場から乗降口２０ａを介してメール集配担当者の手が届く位置である限り、メールボックスの正面でなく側面に、メールボックスの集配用開口を設けてもよい。あるいは、正面と側面の両方にメールボックスの集配用開口を設けてもよい。両方に設ける場合には、一方の集配用開口をメール物品投函用、他方の集配用開口をメール物品取り出し用としてもよい。なお、セキュリティが必要である場合には、前記実施の形態のように、メールボックス２０１の集配用開口２０１ａをメールボックス２０１の正面に設け、通常呼びの場合には、乗場から見て集配用開口２０１ａが扉５０Ｌ、５０Ｒで隠れて露出しないようにすることが好ましい。
【０２１８】
前記実施の形態では、メール集配棚２００が、乗降口２０ａにおける左右方向の側部に配置される。しかし、本発明では、左右方向の側部に配置されることは必須ではない。例えば図３１（ａ）に示すように、
乗降口２０ａにおける左右方向の中央にメール集配棚２００が配置されてもよい。
【０２１９】
この場合、独立して移動可能な３枚の扉５０Ｌ、５０Ｍ、５０Ｒを設け、個別に開閉可能に構成してもよい。例えば図３１（ｃ）に示すように左右の扉５０Ｌ、５０Ｒを開かせた状態において、乗降口２０ａにおけるメール集配棚２００の左右の一方の開口を乗り口とし、他方の開口を降り口としてもよい。これにより、通常呼びの際に、乗車する乗客と降車する乗客の動線を分離でき、乗降に要する時間の短縮を図ることができる。また、通常呼びの際に、メール集配棚２００前方の扉５０Ｍについては閉じたままとすることで、メール集配棚２００のセキュリティを確保できる。また、メール呼びの際には、図３１（ｂ）に示すように、乗場から見て集配用開口２０１ａが露出するように、メール集配棚２００前方の扉５０Ｍについてのみ開放するようにしてもよい。これにより、長時間停止となる可能性があるメール呼びの際に、乗客が乗車しないようにできる。
【０２２０】
なお、上記のように乗降口２０ａにおける左右方向の中央にメール集配棚２００を配置した構成において、例えば図３２（ａ）に示すように、２枚の扉５０Ｌ、５０Ｒで乗降口２０ａを開閉するようにしてもよい。そしてこの構成において、
制御装置１０００は、
メール集配棚２００を利用するためのメール呼びが発生した場合、図３２（ｂ）に示すように、メール呼びの発生階に乗りかごが到着した際、乗場から見て集配用開口２００ａが露出するように、扉５０Ｌ、５０Ｒを全開時より少ない開き量で開かせ、
メール呼び以外の通常呼びが発生した場合、通常呼びの発生階に前記乗りかごが到着した際、図３２（ｃ）に示すように、扉５０Ｌ、５０Ｒを全開させてもよい。
【０２２１】
この構成によれば、長時間停止となる可能性があるメール呼びの際に、乗客が乗車しないようにできる。これに対し、通常呼びの際には、上述した３枚扉の場合同様に、乗降口２０ａにおけるメール集配棚２００の左右の一方の開口を乗り口とし、他方の開口を降り口とできる。なお、このような２枚扉の構成では、通常呼びの発生階に乗りかご２０Ｓが到着した際に、図３２（ｃ）に示すように、扉５０Ｌ、５０Ｒが全開するので、乗場から見て集配用開口２０１ａが露出することとなる。そのため、メール集配棚２００に対するセキュリティが要求される場合は、例えば蓋２０２をロックするための鍵をメール集配棚２００に設けてもよい。
【０２２２】
前記実施の形態では、本発明における報知装置として、かご位置表示部１２１の近傍に配置された報知情報表示部１２２を例示した。しかし、本発明における報知装置は、例えば、メール集配作業中であることを、乗場で乗車待ちしている一般の乗客が認識できる限り、専用ランプや、音声で種々の情報を報知可能な音声出力装置などで構成してもよい。あるいは、通常呼び操作盤１１０やメール呼び操作盤１３０に、報知情報表示部１２２と同様の表示部を設けたり、専用ランプや音声出力装置を設けたりしてもよい。
【０２２３】
前記実施の形態では、本発明における制御装置として、実施の形態２では、群管理制御装置５００、通常エレベータ制御装置１０Ｎ及び特定エレベータ制御装置１０Ｓの組み合わせからなる制御装置１０００を例示した。しかし、群管理制御装置５００、通常エレベータ制御装置１０Ｎ及び特定エレベータ制御装置１０Ｓは、これらの装置の機能を実現可能である限り、例えば１つの筐体を有する１つの装置として実現されてもよい。
【０２２４】
前記実施の形態及び他の実施の形態において、本発明の複数の態様を説明した。しかし、本発明の具体的態様は、上述した実施の形態に限られず、これらの実施の形態を組み合わせたものとすることもできる。
【符号の説明】
【０２２５】
１Ｎ  通常エレベータ
１Ｓ  エレベータ（特定エレベータ）
１０Ｎ  通常エレベータ制御装置
１０Ｓ  エレベータ制御装置（特定エレベータ制御装置）
１１  プロセッサ
１２  記憶部
１３  入出力インタフェース
２０Ｎ  通常の乗りかご
２０Ｓ  乗りかご（特定乗りかご）
２０ａ  乗降口
２１Ｌ  かご扉
２１Ｒ  かご扉
３１  かご内操作盤
３２  昇降モータ
３３  ドアモータ
３６  スピーカ
３７  かご位置表示部
３８  釣合おもり
３９  昇降機構
４１  昇降モータ用インバータ
４２  ドアモータ用インバータ
５０  扉
５０Ｌ  扉
５０Ｒ  扉
１００  壁
１０１Ｌ  乗場扉
１０１Ｒ  乗場扉
１１０  通常呼び操作盤
１１１  上方向呼びボタン
１１２  下方向呼びボタン
１２０  表示盤
１２１  かご位置表示部
１２２  報知情報表示部
１３０  メール呼び操作盤
１３１  メール呼び用キースイッチ
１３２  戸閉用キースイッチ
２００  メール集配棚
２００Ａ  第１メール集配棚
２００Ｂ  第２メール集配棚
２０１  メールボックス
２０１ａ  集配用開口
２０２  蓋
２１０  メールセンサ
２１０ａ  投光部
２１０ｂ  受光部
３００  無線通信装置
４００  携帯端末
４０１  プロセッサ
４０２  記憶部
４０３  無線通信部
４０４  タッチパネル式表示部
５００  群管理制御装置
５１１  プロセッサ
５１２  記憶部
５１３  入出力インタフェース
１０００  制御装置
Ｂａ  メール呼びボタン
Ｂｂ  戸閉ボタン
Ｂｃ  ユーザ設定ボタン
Ｆａ  メール集配担当者ＩＤ入力枠
Ｆｂ  担当階入力枠
Ｂｄ  決定ボタン
Ｘ  メール物品
【要約】
【課題】ビル内の階間のメール集配作業を効率化可能なエレベータを提供する。
【解決手段】エレベータは、乗客が乗降する乗降口２０ａを有する乗りかご２０Ｓと、乗りかご２０Ｓ内に配置され、階毎の複数のメールボックスを有するメール集配棚２００と、を備え、各メールボックスの集配用開口２０１ａが、停止階で停止中の乗りかご２０Ｓにメール集配担当者が乗車せずとも、乗場から乗降口２０ａを介してメール集配担当者の手が届く位置に配置される。
【選択図】図４Ｂ【図１】
0006988958.tif 000002
【図２】
0006988958.tif 000003
【図３】
0006988958.tif 000004
【図４Ａ】
0006988958.tif 000005
【図４Ｂ】
0006988958.tif 000006
【図５Ａ】
0006988958.tif 000007
【図５Ｂ】
0006988958.tif 000008
【図６Ａ】
0006988958.tif 000009
【図６Ｂ】
0006988958.tif 000010
【図６Ｃ】
0006988958.tif 000011
【図７】
0006988958.tif 000012
【図８】
0006988958.tif 000013
【図９】
0006988958.tif 000014
【図１０】
0006988958.tif 000015
【図１１】
0006988958.tif 000016
【図１２】
0006988958.tif 000017
【図１３】
0006988958.tif 000018
【図１４】
0006988958.tif 000019
【図１５】
0006988958.tif 000020
【図１６】
0006988958.tif 000021
【図１７】
0006988958.tif 000022
【図１８】
0006988958.tif 000023
【図１９】
0006988958.tif 000024
【図２０】
0006988958.tif 000025
【図２１】
0006988958.tif 000026
【図２２】
0006988958.tif 000027
【図２３】
0006988958.tif 000028
【図２４】
0006988958.tif 000029
【図２５】
0006988958.tif 000030
【図２６】
0006988958.tif 000031
【図２７】
0006988958.tif 000032
【図２８】
0006988958.tif 000033
【図２９】
0006988958.tif 000034
【図３０】
0006988958.tif 000035
【図３１】
0006988958.tif 000036
【図３２】
0006988958.tif 000037